(57)【要約】【課題】消去する映像音声情報の選定を容易に行うことのできる映像記録装置を提供する。【解決手段】選定手段５２は、ハードディスク４に記録された映像音声情報の中から容量の合計が容量算出手段５１によって算出された容量以上になる１つ以上の映像音声情報の組み合わせを選定する。画面構成手段５３は、ハードディスク４に記録された幾つかの映像音声情報について、それらの管理データに含まれる記録時間及び記録品質と、それら映像音声情報が使用している各容量に管理データとともに操作手段３を介して指定された記録品質の映像音声データを記録できる記録時間たる換算時間とを表示する画面を構成する。【選択図】図１
2008166998.tif 000002
【特許請求の範囲】
【請求項１】
ユーザの行う入力操作に対応した制御信号を発生する操作手段と、
映像及び音声を表すデジタルデータである映像音声データ並びに該映像音声データを管理するための管理データからなる映像音声情報を記録媒体に記録する記録手段と、
映像信号及び音声信号を生成する映像音声信号生成手段と、
前記操作手段を介して指定された記録時間且つ前記操作手段を介して指定された記録品質の映像音声データ及び該映像音声データを管理するための管理データからなる映像音声情報を前記記録媒体に記録するために必要な容量を算出する容量算出手段、使用している容量の合計が前記容量算出手段によって算出された容量以上になる１つ以上の映像音声情報の組み合わせを前記記録媒体に記録された映像音声情報の中から選定する選定手段、前記記録媒体に記録された管理データの少なくとも一部を表示する画面を構成する画面構成手段、並びに前記記録媒体に記録された任意の映像音声情報を消去する消去手段を有するとともに前記各手段を制御する制御手段と
を備えた映像記録装置であって、
前記管理データは、記録時間及び記録品質を含み、
前記画面構成手段の構成する画面は、更に、映像音声情報毎に、該映像音声情報が使用している容量に前記操作手段を介して指定された記録品質の映像音声データを該映像音声データを管理するための管理データとともに記録できる記録時間である換算時間を表示することを特徴とする映像記録装置。
【請求項２】
前記制御手段は、使用している容量の合計が前記容量算出手段によって算出された容量以上になる１つ以上の映像音声情報の組み合わせを、前記操作手段を介して指定された映像音声情報を除外した前記記録媒体に記録された映像音声情報の中から選定する再選定手段を有することを特徴とする請求項１に記載の映像記録装置。
【請求項３】
前記記録媒体に記録される映像音声データの記録品質を設定する記録品質設定手段を更に備え、
前記記録手段は、映像信号及び音声信号を前記記録品質設定手段により設定された記録品質の映像音声データに変換するアナログ映像音声処理手段を有することを特徴とする請求項１又は２に記載の映像記録装置。
【請求項４】
テレビジョン放送を受信して映像信号及び音声信号を出力するアナログチューナを更に備えたことを特徴とする請求項３に記載の映像記録装置。
【請求項５】
テレビジョン放送を受信して映像音声データを出力するデジタルチューナを更に備えたことを特徴とする請求項１又は２に記載の映像記録装置。
【請求項６】
前記記録手段は、前記デジタルチューナから出力された映像音声データを前記記録媒体に記録することを特徴とする請求項５に記載の映像記録装置。
【請求項７】
前記記録媒体に記録される映像音声データの記録品質を設定する記録品質設定手段を更に備え、
前記記録手段は、前記デジタルチューナから出力された映像音声データを前記記録品質設定手段により設定された記録品質の映像音声データに変換するデジタル映像音声処理手段を有することを特徴とする請求項５に記載の映像記録装置。
【請求項８】
映像信号に応じた映像を表示する表示手段と、音声信号に応じた音声を出力するスピーカとを更に備えたことを特徴とする請求項１乃至７の何れか１項に記載の映像記録装置。
【請求項９】
前記記録媒体は、ハードディスク、光ディスク、半導体メモリの何れか１つであることを特徴とする請求項１乃至８の何れか１項に記載の映像記録装置。
【発明の詳細な説明】
【技術分野】
【０００１】
本発明は、映像及び音声を記録する映像記録装置に関し、より詳しくは、テレビジョン放送や外部から入力された映像及び音声をハードディスクに記録する映像記録装置に関する。
【背景技術】
【０００２】
現在、ＤＶＤレコーダやハードディスクレコーダのような、内蔵チューナで受信したテレビジョン放送の映像と音声や、外部から入力された映像と音声を、記録媒体に記録する映像記録装置が一般に販売され、広く普及している。更に、ブラウン管や液晶ディスプレイ等の表示手段とスピーカを備えることで、記録した映像と音声を容易に視聴できる映像記録装置も販売されている。このような映像記録装置の多くは、ハードディスク、光ディスク、半導体メモリ等の記録媒体に、映像及び音声を表すデジタル形式のデータである映像音声データ、並びにこの映像音声データを管理するための管理データを記録する。
【０００３】
このような映像記録装置では、映像と音声を再生する際、通常、映像音声信号生成手段が、記録媒体に記録された映像音声データから、映像信号と音声信号を生成する。この生成された映像信号と音声信号を、映像記録装置に接続された表示装置とスピーカに出力することで、ユーザは映像と音声を視聴することができる。また、表示手段とスピーカを備えた映像記録装置では、この表示手段とスピーカを介して、ユーザは映像と音声を視聴することができる。
【０００４】
記録対象の映像と音声のソースが、アナログ形式の場合とデジタル形式の場合とで、記録媒体に記録される映像音声データの生成方法は異なる。先ず、記録対象の映像と音声のソースがアナログ形式の場合について説明する。具体的には、アナログチューナがテレビジョン放送を受信して映像信号と音声信号を出力する場合や、外部から映像信号と音声信号が入力される場合である。
【０００５】
現在普及している記録媒体は、映像及び音声をデジタル形式で記録するものが多い。従って、記録媒体に記録するために、映像信号と音声信号を、デジタル形式のデータである映像音声データに変換する必要がある。アナログ映像音声処理手段は、映像信号と音声信号を標本化及び量子化によってデジタル形式に変換した後、符号化して映像音声データを生成する。この符号化では、データ圧縮も併せて行われる。データ圧縮の度合い（圧縮率）は、記録媒体に記録される映像音声データの平均情報レートに対応し、その品質（記録品質）に直接関係する。
【０００６】
ユーザは、幾つか用意されている記録品質の中から、使用する記録品質を選択する。ＸＰ、ＳＰ、ＬＰ、ＳＬＰは、通常使用されている記録品質の例である。これらの記録品質で記録する場合の平均情報レートの比は、ＸＰ：ＳＰ：ＬＰ：ＳＬＰ＝１２：６：３：２である。従って、記録品質をＸＰとして記録した場合に記録媒体が映像音声データの記録に使用する容量は、映像音声の通常再生に要する時間（記録時間）が同じであれば、ＳＰの場合の略２倍、ＬＰの場合の略４倍、ＳＬＰの略６倍、必要になる。
【０００７】
一般に、優れた品質で映像と音声を記録するためには、平均情報レートを増加させる必要があり、記録媒体で使用される容量も増加する。一方、平均情報レートを減少させると、記録媒体で使用される容量も減少するが、記録される映像と音声の品質は劣化する。従って、ユーザは、映像音声データを記録する際に、記録媒体で使用される容量と記録品質のトレードオフを考慮する必要がある。なお、上述した平均情報レートの比の数値は平均値であり、実際に記録媒体で使用される容量は、映像と音声の性質によって増減する。例えば、映像の変化が少なく、音声もほとんど無い場合、記録媒体で使用される容量は少なくなる。
【０００８】
続いて、記録対象の映像と音声のソースがデジタル形式の場合について説明する。具体的には、デジタルチューナがテレビジョン放送を受信して映像音声データを出力する場合である。アナログチューナの場合と異なり、既にデジタル形式のデータである映像音声データが得られているため、別段の変換処理を行うことなしに、そのまま記録手段に記録することが可能である。例えば、デジタル放送の番組は、現在、標準放送及び高品質放送の２種類があり、デジタルチューナからは、それぞれ、ＳＤ（Ｓｔａｎｄａｒｄ  Ｄｅｆｉｎｉｔｉｏｎ）及びＨＤ（Ｈｉｇｈ  Ｄｅｆｉｎｉｔｉｏｎ）と呼ばれるデジタル形式の映像音声データが出力される。これらの出力は、デジタル形式のデータであるため、このまま直接、記録媒体に記録することができる。
【０００９】
一方で、デジタルチューナから出力された映像音声データを、記録品質の異なる映像音声データに変換することもある。例えば、高品質放送の映像音声データ（ＨＤ）を標準放送の映像音声データ（ＳＤ）に変換し、記録媒体に記録する場合がある。また、高品質放送の映像音声データ（ＨＤ）を、記録品質がＳＬＰの映像音声データに変換し、記録媒体に記録する場合がある。このような手法は、ダウンコンバートと呼ばれ、記録品質は劣化するが、記録媒体で使用する容量は減少する。このため、記録品質の劣化が許容され、且つ記録時間の長い番組を記録する場合に多く使用される。
【００１０】
さて、先に述べたように、映像音声データは、この映像音声データを管理するための管理データとともに記録媒体に記録される。通常、映像音声データと管理データとは、「映像音声情報」として、まとめて記録媒体に記録される。管理データには、タイトル、記録時間（又は、記録開始時刻と記録終了時刻）、記録品質（又は、符号化の種類）等が含まれる。なお、管理データの使用する容量は、映像音声データの使用する容量に比べて小さいため、容量を算出する際には、管理データの記録に必要な容量は省略されることもある。
【００１１】
所で、記録媒体の空き容量が少なくなってくると、既に記録されている映像音声情報の幾つかを消去しなければ、新しい映像音声情報を記録することができなくなる。この時、ユーザは、消去する映像音声情報を選定しなければならない。特に、記録媒体が大容量の場合や、低い記録品質で記録している場合には、多くの映像音声情報が存在していることが多く、消去する映像音声情報の選定に多くの時間を要していた。
【００１２】
特許文献１は、消去する映像音声情報を選定する際に管理情報を含む管理データを表示する技術を開示している。具体的には、その放送番組の放送日データ、放送開始時刻データ、放送時間データ（あるいは記録再生部に記録される記録日データ、記録開始時刻データ、記録時間データ）、放送局を区別するチャネルなどの情報を示すチャネルデータ、記録モードデータ（記録画像の圧縮率）、番組のタイトルデータ、番組種別データ（スポーツ番組、ドラマ、映画、コメディーかなどの区別）、連続番組かどうかを区別する連続番組データ、記録した番組を視聴したかどうかを示す視聴状態データなどが管理情報に含まれる。
【００１３】
この技術を用いれば、特許文献１の図６に示すように、タイトル、記録時間等の管理データが表示されるため、ユーザは映像音声情報の内容を把握し易くなり、消去する映像音声情報を選定する作業の効率を向上させることができる。
【００１４】
所で、上述したように、記録媒体には、複数の記録品質の異なる映像音声データが存在し得る。記録時間が同じであっても、記録品質が異なれば、記録媒体において使用される容量は異なる。従って、ユーザは、記録品質を考慮して、消去する映像音声情報を選定する必要がある。
【００１５】
図１０、１１、１２、１３は、消去する映像音声情報を選定する際に、映像記録装置に接続した表示装置に表示される、特許文献１の技術に基づいた画面を示す図である。これらの図を用いて、特許文献１の技術に基づいて、記録品質がＬＰで記録時間が６０分の映像音声データとこの管理データとからなる映像音声情報を記録するために消去する映像音声情報を選定する手順を説明する。
【００１６】
先ず、図１０に示すように、記録媒体に記録されている映像音声情報毎に、タイトルと記録時間と記録品質が表示される。ユーザは、この中から消去したい映像音声情報を選択する。図１１は、タイトル１の映像音声情報を選択した画面である。タイトル１の映像音声情報は、記録品質がＸＰで記録時間が１０分の映像音声データ及びこの映像音声データを管理するための管理データからなる。このタイトル１の映像音声情報の記録に使用されている容量には、記録品質がＬＰで記録時間が４０分の映像音声データ及びこの映像音声データを管理するための管理データからなる映像音声情報を記録することができる。
【００１７】
図１２は、更に、タイトル２の映像音声情報を選択した画面である。タイトル２の映像音声情報は、記録品質がＳＰで記録時間が１５分の映像音声データ及びこの映像音声データを管理するための管理データからなる。このタイトル２の映像音声情報の記録に使用されている容量には、記録品質がＬＰで記録時間が３０分の映像音声データ及びこの映像音声データを管理するための管理データからなる映像音声情報を記録することができる。
【００１８】
従って、タイトル１の映像音声情報とタイトル２の映像音声情報の合計の容量には、記録品質がＬＰで記録時間が７０分の映像音声データが記録可能となり、目標の６０分を超えてしまう。このようにして、ユーザは、試行錯誤を繰り返し、目標とする記録時間の６０分になる映像音声情報の組み合わせを探し出す。
【００１９】
図１３は、タイトル２の映像音声情報とタイトル３の映像音声情報を選択した画面を示しており、この場合に、目標とする記録時間の６０分が得られている。即ち、タイトル２の映像音声情報とタイトル３の映像音声情報を消去することで、記録品質がＬＰで記録時間が６０分の映像音声データとその管理データからなる映像音声情報を記録することができる容量が得られる。
【００２０】
【特許文献１】特開２００４−３２８６０８号公報
【発明の開示】
【発明が解決しようとする課題】
【００２１】
特許文献１の技術によれば、記録媒体に記録された映像音声情報毎に、その映像音声情報が使用している容量にユーザが指定した記録品質の映像音声データを記録できる時間を把握することが難しく、消去する映像音声情報を選定するために、試行錯誤を何度も繰り返す必要があり、ユーザにとって大変煩わしいという問題があった。
【００２２】
本発明は、上述の問題点に鑑みてなされたものであり、映像音声情報毎に、使用している容量にユーザが指定した記録品質の映像音声データを記録できる時間を表示することで、消去する映像音声情報の選定を容易に行うことのできる映像記録装置を提供することを目的とする。
【課題を解決するための手段】
【００２３】
請求項１に記載の映像記録装置は、ユーザの行う入力操作に対応した制御信号を発生する操作手段と、映像及び音声を表すデジタルデータである映像音声データ並びに該映像音声データを管理するための管理データからなる映像音声情報を記録媒体に記録する記録手段と、映像信号及び音声信号を生成する映像音声信号生成手段と、前記操作手段を介して指定された記録時間且つ前記操作手段を介して指定された記録品質の映像音声データ及び該映像音声データを管理するための管理データからなる映像音声情報を前記記録媒体に記録するために必要な容量を算出する容量算出手段、使用している容量の合計が前記容量算出手段によって算出された容量以上になる１つ以上の映像音声情報の組み合わせを前記記録媒体に記録された映像音声情報の中から選定する選定手段、前記記録媒体に記録された管理データの少なくとも一部を表示する画面を構成する画面構成手段、並びに前記記録媒体に記録された任意の映像音声情報を消去する消去手段を有するとともに前記各手段を制御する制御手段とを備えた映像記録装置であって、前記管理データは、記録時間及び記録品質を含み、前記画面構成手段の構成する画面は、更に、映像音声情報毎に、該映像音声情報が使用している容量に前記操作手段を介して指定された記録品質の映像音声データを該映像音声データを管理するための管理データとともに記録できる記録時間である換算時間を表示することを特徴とする。
【００２４】
請求項１に記載の映像記録装置によれば、映像音声情報毎に、使用している容量にユーザが指定した記録品質の映像音声データを記録できる時間を表示する画面を構成することができる。
【００２５】
請求項２に記載の映像記録装置は、請求項１において、前記制御手段は、使用している容量の合計が前記容量算出手段によって算出された容量以上になる１つ以上の映像音声情報の組み合わせを、前記操作手段を介して指定された映像音声情報を除外した前記記録媒体に記録された映像音声情報の中から選定する再選定手段を有することを特徴とする。
【００２６】
請求項２に記載の映像記録装置によれば、消去する映像音声情報をユーザの指定した映像音声情報を除いて選定することができる。
【００２７】
請求項３に記載の映像記録装置は、請求項１又は２において、前記記録媒体に記録される映像音声データの記録品質を設定する記録品質設定手段を更に備え、前記記録手段は、映像信号及び音声信号を前記記録品質設定手段により設定された記録品質の映像音声データに変換するアナログ映像音声処理手段を有することを特徴とする。
【００２８】
請求項３に記載の映像記録装置によれば、映像信号及び音声信号を、ユーザの設定した記録品質の映像音声データに変換して、記録媒体に記録することができる。
【００２９】
請求項４に記載の映像記録装置は、請求項３において、テレビジョン放送を受信して映像信号及び音声信号を出力するアナログチューナを更に備えたことを特徴とする。
【００３０】
請求項４に記載の映像記録装置によれば、テレビジョン放送の映像信号及び音声信号を、ユーザの設定した記録品質の映像音声データに変換して、記録媒体に記録することができる。
【００３１】
請求項５に記載の映像記録装置は、請求項１又は２において、テレビジョン放送を受信して映像音声データを出力するデジタルチューナを更に備えたことを特徴とする。
【００３２】
請求項５に記載の映像記録装置によれば、テレビジョン放送の映像及び音声を表すデジタルデータである映像音声データを、記録媒体に記録することができる。
【００３３】
請求項６に記載の映像記録装置は、請求項５において、前記記録手段は、前記デジタルチューナから出力された映像音声データを前記記録媒体に記録することを特徴とする。
【００３４】
請求項６に記載の映像記録装置によれば、テレビジョン放送の映像及び音声を表すデジタルデータである映像音声データを、デジタルチューナから出力された記録品質のまま、記録媒体に記録することができる。
【００３５】
請求項７に記載の映像記録装置は、請求項５において、前記記録媒体に記録される映像音声データの記録品質を設定する記録品質設定手段を更に備え、前記記録手段は、前記デジタルチューナから出力された映像音声データを前記記録品質設定手段により設定された記録品質の映像音声データに変換するデジタル映像音声処理手段を有することを特徴とする。
【００３６】
請求項７に記載の映像記録装置によれば、テレビジョン放送の映像及び音声を表すデジタルデータである映像音声データを、ユーザの設定した記録品質の映像音声データに変換して、記録媒体に記録することができる。
【００３７】
請求項８に記載の映像記録装置は、請求項１乃至７の何れか１項において、映像信号に応じた映像を表示する表示手段と、音声信号に応じた音声を出力するスピーカとを更に備えたことを特徴とする。
【００３８】
請求項８に記載の映像記録装置によれば、該映像記録装置自体で、映像の表示と音声の出力を行うことができる。
【００３９】
請求項９に記載の映像記録装置は、請求項１乃至８の何れか１項において、前記記録媒体は、ハードディスク、光ディスク、半導体メモリの何れか１つであることを特徴とする。
【００４０】
請求項９に記載の映像記録装置によれば、ハードディスク、光ディスク、半導体メモリのうちの何れかの記録媒体に映像音声情報を記録することができる。
【発明の効果】
【００４１】
本発明によれば、映像音声情報毎に、使用している容量にユーザが指定した記録品質の映像音声データを記録できる時間を表示する画面を構成することができる映像記録装置を提供することができる。このため、ユーザは、映像音声情報毎に、所望の記録品質の映像音声データを記録できる時間を容易に把握でき、消去する映像音声情報の選定を容易に行うことができる。
【００４２】
更に、本発明によれば、消去する映像音声情報をユーザの指定した映像音声情報を除いて選定することができる映像記録装置を提供することができる。このため、ユーザは、消去したくない映像音声情報を除いて選定作業を行うことができ、消去する映像音声情報の選定を容易に行うことができる。
【００４３】
更に、本発明によれば、映像信号及び音声信号を、ユーザの設定した記録品質の映像音声データに変換して、記録媒体に記録することができる映像記録装置を提供することができる。このため、映像及び音声のソースが、記録媒体に直接記録可能なデジタルデータではない場合（例えば、アナログ形式の映像信号及び音声信号である場合）にも、本発明を適用することができ、消去する映像音声情報の選定を容易に行うことができる。
【００４４】
更に、本発明によれば、テレビジョン放送の映像信号及び音声信号を、ユーザの設定した記録品質の映像音声データに変換して、記録媒体に記録することができる映像記録装置を提供することができる。このため、例えば、テレビジョン放送を受信してアナログ形式の映像信号及び音声信号を出力するアナログチューナを備えた場合にも、本発明を適用することができ、消去する映像音声情報の選定を容易に行うことができる。
【００４５】
更に、本発明によれば、テレビジョン放送の映像及び音声を表すデジタルデータである映像音声データを記録媒体に記録することができる映像記録装置を提供することができる。このため、テレビジョン放送を受信して、映像及び音声を表すデジタルデータである映像音声データを出力するデジタルチューナを備えた場合にも、本発明を適用することができ、消去する映像音声情報の選定を容易に行うことができる。
【００４６】
更に、本発明によれば、テレビジョン放送の映像及び音声を表すデジタルデータである映像音声データを、デジタルチューナから出力された記録品質のまま、記録媒体に記録することができる映像記録装置を提供することができる。このため、テレビジョン放送を受信して、映像及び音声を表すデジタルデータである映像音声データを出力するデジタルチューナを備え、このデジタルチューナから出力された映像音声データを、記録品質を変換せずに記録媒体に記録する場合にも、本発明を適用することができ、消去する映像音声情報の選定を容易に行うことができる。
【００４７】
更に、本発明によれば、テレビジョン放送の映像及び音声を表すデジタルデータである映像音声データを、ユーザの設定した記録品質の映像音声データに変換して、記録媒体に記録することができる映像記録装置を提供することができる。このため、テレビジョン放送を受信して、映像及び音声を表すデジタルデータである映像音声データを出力するデジタルチューナ、並びにこのデジタルチューナから出力された映像音声データをユーザの設定した記録品質の映像音声データに変換するデジタル映像音声処理手段を備えた場合にも、本発明を適用することができ、消去する映像音声情報の選定を容易に行うことができる。
【００４８】
更に、本発明によれば、映像の表示と音声の出力を行うことができる映像記録装置を提供することができる。このため、映像記録装置自体で、換算時間を表示することができる。
【００４９】
更に、本発明によれば、ハードディスク、光ディスク、半導体メモリのうちの何れかの記録媒体に映像音声情報を記録することができる映像記録装置を提供することができる。このため、一般に普及している記録媒体を使用することで、映像記録装置の製造コストを低く抑えることができる。
【発明を実施するための最良の形態】
【００５０】
本発明の実施の形態を、図面を参照して説明する。なお、以下の実施例は本発明の具体例に過ぎず、本発明が以下の実施形態に限定されるものではない。
【実施例１】
【００５１】
図１は、本実施例の映像記録装置の構成を示すブロック図である。映像記録装置１は、デジタルチューナ２１、操作手段３、ハードディスク４、制御手段５、映像音声信号生成手段６、記録手段７、記録品質設定手段７３、外部出力端子８３を備える。
【００５２】
デジタルチューナ２１は、アンテナ８１を介してテレビジョン放送を受信し、映像及び音声を表すデジタルデータたる映像音声データを出力する。操作手段３は、ユーザの行う入力操作に対応した制御信号を発生する。ハードディスク４は、映像音声データ及びこの映像音声データを管理するための管理データたる管理データからなる映像音声情報が記録される記録媒体である。
【００５３】
記録品質設定手段７３は、ハードディスク４に記録される映像音声データの記録品質を設定する。記録手段７は、デジタルチューナ２１から出力された映像音声データをユーザが記録品質設定手段７３により設定した記録品質の映像音声データに変換するデジタル映像音声処理手段７１を有するとともに、ハードディスク４に映像音声情報を記録する。
【００５４】
制御手段５は、記憶手段５０、容量算出手段５１、選定手段５２、画面構成手段５３、消去手段５４、再選定手段５５を有するとともに、映像記録装置１に含まれる各部を制御する。記憶手段５０は、制御プログラムや各種設定を記録する。容量算出手段５１は、ユーザが操作手段３を介して入力した記録品質の映像音声データをユーザが操作手段３を介して入力した記録時間の分だけと、この映像音声データを管理するための管理データとからなる映像音声情報の記録に必要な容量を算出する。
【００５５】
選定手段５２は、ハードディスク４に記録された映像音声情報の中から容量の合計が容量算出手段５１によって算出された容量以上になる１つ以上の映像音声情報の組み合わせを選定する。画面構成手段５３は、ハードディスク４に記録された幾つかの映像音声情報について、それらの管理データに含まれる記録時間及び記録品質と、それら映像音声情報が使用している各容量に管理データとともに操作手段３を介して指定された記録品質の映像音声データを記録できる記録時間たる換算時間とを表示する画面を構成する。
【００５６】
消去手段５４は、ハードディスク４に記録された任意の映像音声情報を消去する。再選定手段５５は、ユーザが操作手段３を介して指定した映像音声情報を除外して、ハードディスク４に記録された映像音声情報の中から容量の合計が容量算出手段５１によって算出された容量以上になる１つ以上の映像音声情報の組み合わせを選定する。
【００５７】
映像音声信号生成手段６は、ハードディスク４に記録された映像音声データや、画面構成手段５３で構成された画面を始めとする各種設定画面から、映像信号及び音声信号を生成する。外部出力端子８３は、映像音声信号生成手段６で生成された映像信号及び音声信号を、映像記録装置１の外部に出力するための端子である。
【００５８】
このような構成にすることにより、本実施例の映像記録装置１は、テレビジョン放送を、ユーザの希望した記録品質の映像音声データでハードディスク４に記録することができる。また、ユーザは、図示しない表示装置を使用して、ハードディスク４に記録された映像音声データを視聴することができる。
【００５９】
図５は、本実施例の映像記録装置の処理の流れを示すフローチャートである。このフローチャートは、例えば、メニューから「時間指定コンテンツ消去」を選択することによって開始される。なお、各ステップの進行は、制御手段５によって行われる。また、変数Ａ及びＢの記憶領域は、記憶手段５０に確保されている。また、映像音声信号生成手段６で生成された映像信号は、外部出力端子８３を通して、図示しない表示装置に入力され、その映像信号に応じた映像が表示される。
【００６０】
ステップＳ１１０で、映像音声信号生成手段６は、記録時間と記録品質の入力を促す画面を表示する映像信号を生成し、ステップＳ１２０に進む。
【００６１】
ステップＳ１２０で、操作手段３は、ユーザの入力した記録時間及び記録品質を読み込み、これらに対応した制御信号を発生し、この制御信号を制御手段５に対して送信し、ステップＳ１３０に進む。
【００６２】
ステップＳ１３０で、容量算出手段５１は、ステップＳ１２０で入力された記録時間及び記録品質の映像音声データとこの映像音声データを管理する管理データとからなる映像音声情報の記録に必要な容量（即ち、消去しなければならない容量）を算出し、変数Ａに代入し、ステップＳ１４０に進む。
【００６３】
ステップＳ１４０で、選定手段５２は、消去する映像音声情報を選定し、ステップＳ１５０に進む。
【００６４】
ステップＳ１５０で、選定手段５２は、ステップＳ１４０で選定された消去する映像音声情報の容量の合計を算出し、変数Ｂに代入し、ステップＳ１６０に進む。
【００６５】
ステップＳ１６０で、選定手段５２は、変数Ｂの値が変数Ａの値以上であるか否かを判断し、変数Ｂの値が変数Ａの値以上である場合には、ステップＳ１７０に進み、そうでない場合には、ステップＳ１４０に進む。
【００６６】
ステップＳ１７０で、画面構成手段５３は、ステップＳ１４０で選定された消去する映像音声情報について、それら映像音声情報が使用している各容量に、管理データとともにステップＳ１２０において入力された記録品質の映像音声データを記録できる時間たる換算時間を求め、ステップＳ１８０に進む。
【００６７】
ステップＳ１８０で、画面構成手段５３は、ステップＳ１４０で選定された消去する映像音声情報毎に、タイトルと、管理データに含まれる記録時間及び記録品質と、ステップＳ１７０で求めた換算時間とを表示する画面を構成し、映像音声信号生成手段６は、この画面を表示する映像信号を生成し、ステップＳ１９０に進む。
【００６８】
ステップＳ１９０で、映像音声信号生成手段６は、「消去する」と「修正する」の何れかの選択を促す画面を表示する映像信号を生成し、ステップＳ２００に進む。
【００６９】
ステップＳ２００で、制御手段５は、「消去する」が選択されたか否かを判断し、「消去する」が選択された場合は、ステップＳ２１０に進み、そうでない場合は、ステップＳ２２０に進む。
【００７０】
ステップＳ２１０で、消去手段５４は、選定された映像音声情報を消去し、「終了」に進む。
【００７１】
ステップＳ２２０で、再選定手段５５は、消去しない映像音声情報をユーザに指定させ、ステップＳ２３０に進む。
【００７２】
ステップＳ２３０で、再選定手段５５は、ステップＳ２２０で指定された映像音声情報を選定対象から除外し、ステップＳ１４０に進む。
【００７３】
図６、７、８、９は、それぞれ、図５のフローチャートのステップＳ１１０、Ｓ１２０、Ｓ１９０、Ｓ２２０で、図示しない表示装置に表示される画面の例を示す図である。図６では、記録時間と記録品質の入力が促されている。図７では、記録時間及び記録品質として、それぞれ、「６０分」及び「ＬＰ」が入力されている。図８では、タイトル１とタイトル５が消去する映像音声情報として選定されており、これらの映像音声情報を消去するか否かの入力を促している。図９では、タイトル５が消去しない映像音声情報として指定されている。
【実施例２】
【００７４】
図２は、本実施例の映像記録装置の構成を示すブロック図である。映像記録装置１は、アナログチューナ２２、操作手段３、ハードディスク４、制御手段５、映像音声信号生成手段６、表示手段６１、スピーカ６２、記録手段７、記録品質設定手段７３、外部入力端子８２を備える。
【００７５】
操作手段３、ハードディスク４、制御手段５、映像音声信号生成手段６、記録品質設定手段７３は、実施例１の場合と同一の機能を有するものであり、説明は省略する。
【００７６】
表示手段６１は、映像信号に応じた映像を表示する。スピーカ６２は、音声信号に応じた音声を出力する。外部入力端子８２は、映像記録装置１の外部から映像信号及び音声信号を入力するための端子である。
【００７７】
アナログチューナ２２は、アンテナ８１を介してテレビジョン放送を受信し、映像信号及び音声信号を出力する。記録手段７は、アナログチューナ２２から出力された映像信号及び音声信号や外部入力端子８２から入力された映像信号及び音声信号を、ユーザが記録品質設定手段７３により設定した記録品質の映像音声データに変換するアナログ映像音声処理手段７２を有するとともに、ハードディスク４に映像音声情報を記録する。
【００７８】
このような構成にすることで、本実施例の映像記録装置１は、テレビジョン放送並びに図示しない外部装置からの映像信号及び音声信号を、ユーザの希望した記録品質の映像音声データで、ハードディスク４に記録することができる。また、ユーザは、表示手段６１及びスピーカ６２を使用して、ハードディスク４に記録された映像音声データを視聴することができる。
【００７９】
本実施例の映像記録装置の処理の流れ及び表示される画面は、実施例１の場合と同一であり、説明は省略する（図５、６、７、８、９参照）。但し、映像音声信号生成手段６で生成された映像信号は、表示手段６１に入力され、この映像信号に応じた映像が表示される。また、映像音声信号生成手段６で生成された音声信号は、スピーカ６２に入力され、この音声信号に応じた音声が出力される。
【実施例３】
【００８０】
図３は、本実施例の映像記録装置の構成を示すブロック図である。映像記録装置１は、操作手段３、ハードディスク４、制御手段５、映像音声信号生成手段６、記録手段７、記録品質設定手段７３、外部入力端子８２、外部出力端子８３を備える。
【００８１】
操作手段３、ハードディスク４、制御手段５、映像音声信号生成手段６、記録品質設定手段７３、外部出力端子８３は、実施例１の場合と同一の機能を有するものであり、説明は省略する。また、外部入力端子８２は、実施例２の場合と同一の機能を有するものであり、説明は省略する。
【００８２】
記録手段７は、外部入力端子８２から入力された映像信号及び音声信号を、ユーザが記録品質設定手段７３により設定した記録品質の映像音声データに変換するアナログ映像音声処理手段７２を有するとともに、ハードディスク４に映像音声情報を記録する。
【００８３】
このような構成にすることで、本実施例の映像記録装置１は、図示しない外部装置からの映像信号及び音声信号を、ユーザの希望した記録品質の映像音声データで、ハードディスク４に記録することができる。また、ユーザは、図示しない表示装置を使用して、ハードディスク４に記録された映像音声データを視聴することができる。
【００８４】
本実施例の映像記録装置の処理の流れ及び表示される画面は、実施例１の場合と同一であり、説明は省略する（図５、６、７、８、９参照）。また、映像音声信号生成手段６で生成された映像信号は、外部出力端子８３を通して、図示しない表示装置に入力され、その映像信号に応じた映像が表示される。
【実施例４】
【００８５】
図４は、本実施例の映像記録装置の構成を示すブロック図である。映像記録装置１は、デジタルチューナ２１、操作手段３、ハードディスク４、制御手段５、映像音声信号生成手段６、記録手段７、外部出力端子８３を備える。
【００８６】
デジタルチューナ２１、操作手段３、ハードディスク４、制御手段５、映像音声信号生成手段６、外部出力端子８３は、実施例１の場合と同一の機能を有するものであり、説明は省略する。記録手段７は、ハードディスク４に映像音声情報を記録する。
【００８７】
このような構成にすることにより、本実施例の映像記録装置１は、受信したままの記録品質の映像音声データでテレビジョン放送をハードディスク４に記録することができる。また、ユーザは、図示しない表示装置を使用して、ハードディスク４に記録された映像音声データを視聴することができる。
【００８８】
本実施例の映像記録装置の処理の流れ及び表示される画面は、実施例１の場合と同一であり、説明は省略する（図５、６、７、８、９参照）。また、映像音声信号生成手段６で生成された映像信号は、外部出力端子８３を通して、図示しない表示装置に入力され、その映像信号に応じた映像が表示される。
【００８９】
以上述べたように、本発明では、映像音声情報毎に、使用している容量にユーザが指定した記録品質の映像音声データを記録できる時間を表示することで、消去する映像音声情報の選定を容易に行うことのできる映像記録装置を提供することができる。
【００９０】
なお、上述の各実施例では、記録媒体としてハードディスク４を使用したが、本発明はこれに限定されず、光ディスクや半導体メモリを使用しても良いということは説明するまでもない。
【００９１】
また、操作手段３は、映像記録装置１自体に設けられたスイッチであっても、リモコンであっても良い。
【００９２】
また、一般に、管理データの使用する容量は、映像音声データの使用する容量に比べて小さいため、管理データの記録に必要な容量を無視して、換算時間や容量を算出しても良い。更に、換算時間や容量は、平均情報レートを使用して算出しても良い。この場合、算出される値は予測値となるが、算出に要する時間を大幅に短縮することができる。
【００９３】
記録品質がＸＰの映像音声情報の換算時間を求める場合を例に説明する。ユーザ所望の記録品質がＬＰの場合、平均情報レートの比はＸＰ：ＬＰ＝４：１である。従って、ＬＰへの換算時間は、ＸＰでの記録時間を４倍して求める。また、容量は、平均情報レートに記録時間を乗ずることで、容易に算出できる。
【図面の簡単な説明】
【００９４】
【図１】本発明の実施例１の構成を示すブロック図である。
【図２】本発明の実施例２の構成を示すブロック図である。
【図３】本発明の実施例３の構成を示すブロック図である。
【図４】本発明の実施例４の構成を示すブロック図である。
【図５】本発明の実施例の処理の流れを示すフローチャートである。
【図６】本発明の実施例の画面を示す図である。
【図７】本発明の実施例の画面を示す図である。
【図８】本発明の実施例の画面を示す図である。
【図９】本発明の実施例の画面を示す図である。
【図１０】従来の画面を示す図である。
【図１１】従来の画面を示す図である。
【図１２】従来の画面を示す図である。
【図１３】従来の画面を示す図である。
【符号の説明】
【００９５】
１  映像記録装置
３  操作手段
４  ハードディスク（記録媒体）
５  制御手段
６  映像音声信号生成手段
７  記録手段
２１  デジタルチューナ
２２  アナログチューナ
５０  記憶手段
５１  容量算出手段
５２  選定手段
５３  画面構成手段
５４  消去手段
５５  再選定手段
６１  表示手段
６２  スピーカ
７１  デジタル映像音声処理手段
７２  アナログ映像音声処理手段
７３  記録品質設定手段
８１  アンテナ
８２  外部入力端子
８３  外部出力端子
【図１】
2008166998.tif 000003
【図２】
2008166998.tif 000004
【図３】
2008166998.tif 000005
【図４】
2008166998.tif 000006
【図５】
2008166998.tif 000007
【図６】
2008166998.tif 000008
【図７】
2008166998.tif 000009
【図８】
2008166998.tif 000010
【図９】
2008166998.tif 000011
【図１０】
2008166998.tif 000012
【図１１】
2008166998.tif 000013
【図１２】
2008166998.tif 000014
【図１３】
2008166998.tif 000015